(57)【要約】【課題】垂直方向だけでなく、水平方向でも引き出しやすい衛生薄葉紙用収納体を提供する【解決手段】略三角柱状で、積層された衛生薄葉紙を内部に収納可能とし、横向きにした状態で見て、斜面部１と、背面部２と、底面部３と、これら斜面部１、背面部２及び底面部３の長手方向両端部に形成された両側面部４，４と、を備えた衛生薄葉紙用収納体であって、斜面部１に、衛生薄葉紙を取出す取出口１Ａを形成する。【選択図】図１
2007276807.tif 000002
【特許請求の範囲】
【請求項１】
略三角柱状で、積層された衛生薄葉紙を内部に収納可能とし、
横向きにした状態で見て、斜面部と、背面部と、底面部と、これら斜面部、背面部及び底面部の長手方向両端部に形成された両側面部と、を備えた衛生薄葉紙用収納体であって、
前記斜面部に、前記衛生薄葉紙を取出す取出口が形成された、
ことを特徴とする衛生薄葉紙用収納体。
【請求項２】
斜面部と底面部とで形成される角と、斜面部と背面部とで形成される角とが、等角度で、かつ４０〜６０°である、請求項１記載の衛生薄葉紙用収納体。
【請求項３】
積層された前記衛生薄葉紙は、前記取出口に向けて幅方向中央部分を突出するように断面弓形状に湾曲させた状態で収納された、請求項１又は２記載の衛生薄葉紙用収納体。
【発明の詳細な説明】
【技術分野】
【０００１】
本発明は、衛生薄葉紙用収納体に関し、特にティッシュペーパーの収納体に関するものである。
【背景技術】
【０００２】
従来から、ティッシュペーパー等の衛生薄葉紙ティッシュペーパー束を収納したティッシュカートンは、一般的に、直方体形状で、上面部にティッシュペーパーの取出口が形成されており、手でティッシュペーパーの上端部を摘み、垂直方向に引き出すようになっている（例えば、特許文献１参照）。
【特許文献１】特開２００２−２４９１８３号公報
【発明の開示】
【発明が解決しようとする課題】
【０００３】
しかしながら、使い方によっては、ティッシュペーパーを水平方向に引き出す場合があり、この場合、上面部にティッシュペーパーの取出口が形成されていると、ティッシュペーパーが引き出し難いというという問題点があった。
そこで、本発明の主たる課題は、垂直方向だけでなく、水平方向でも引き出しやすい衛生薄葉紙用収納体を提供することにある。
【課題を解決するための手段】
【０００４】
上記課題を解決した本発明は、次のとおりである。
＜請求項１記載の発明＞
請求項１記載の発明は、略三角柱状で、積層された衛生薄葉紙を内部に収納可能とし、  横向きにした状態で見て、斜面部と、背面部と、底面部と、これら斜面部、背面部及び底面部の長手方向両端部に形成された両側面部と、を備えた衛生薄葉紙用収納体であって、  前記斜面部に、前記衛生薄葉紙を取出す取出口が形成された、ことを特徴とする衛生薄葉紙用収納体である。
【０００５】
＜請求項２記載の発明＞
請求項２記載の発明は、斜面部と底面部とで形成される角と、斜面部と背面部とで形成される角とが、等角度で、かつ４０〜６０°である、請求項１記載の衛生薄葉紙用収納体である。
【０００６】
＜請求項３記載の発明＞
請求項３記載の発明は、積層された前記衛生薄葉紙は、前記取出口に向けて幅方向中央部分を突出するように断面弓形状に湾曲させた状態で収納された、請求項１又は２記載の衛生薄葉紙用収納体である。
【０００７】
（作用効果）
斜面部に衛生薄葉紙を取出す取出口を形成することにより、衛生薄葉紙を垂直方向でも引き出しやすくなっていると共に、水平方向に引張っても衛生薄葉紙を引き出しやすくなっている。
また、斜面部と底面部とで形成される角と、斜面部と背面部とで形成される角とを、等角度で、かつ４０〜６０°とすることにより、例えば、背面部側に身体があったとしても、背面部と底面部とで形成される角の部分を基点として収納体を回転させる（ひっくり返す）ことにより、取出口を手前にもってくることができ、使い勝手がよい。
さらに、積層された前記衛生薄葉紙を、取出口に向けて幅方向中央部分を突出するように断面弓形状に湾曲させた状態で収納することにより、積層枚数が少なくなったとしても、束の落ち込みがなく、取出口に衛生薄葉紙束を近接させた状態にすることができるため、枚数が少なくなっても引き出しやすい。
【発明の効果】
【０００８】
本発明によれば、衛生薄葉紙が垂直方向だけでなく、水平方向でも引き出しやすい等の利点がもたらされる。
【発明を実施するための最良の形態】
【０００９】
以下、本発明の実施の形態を説明する。なお、本発明に係る衛生薄葉紙用収納体に収納される衛生薄葉用紙としては、ティッシュペーパー、トイレットペーパー、ちり紙等を挙げることができるが、以下では、ティッシュペーパーとする場合について説明する。
本発明に係る衛生薄葉紙用収納体は、横向きにした略三角柱状であり、ティッシュペーパー１０ａを取出す取出口１Ａが形成された斜面部１と、背面部２と、底面部３と、これら斜面部１、背面部２及び底面部３の長手方向両端部に形成された両側面部４，４と、を備えている。
【００１０】
斜面部１に形成された取出口１Ａは、斜面部１にミシン目が予め形成され、そのミシン目で囲まれる部分を剥ぎ取ることにより、形成される公知の構成のものである。この取出口１Ａは、スリット６Ａを有するフィルムシート６が内側から覆われており、内部のティッシュペーパー１０ａは順次スリット６Ａを通して取り出されるようになっている。フィルムシート６は、ポリエチレンフィルム等であり、収納体の斜面部１に内側から接着剤により接着されている。なお、フィルムシート６を用いない場合には、フィルムレスタイプの取出口形状にすればよい。
【００１１】
一般的に、直方体形状のティッシュペーパーを収納体から取り出すに際しては、ティッシュペーパーの側縁近傍の中央部における摘み部を持って引き出すわけであるが、この際には、スリットとの摩擦力、後続のティッシュペーパーとの摩擦力や、折り重ねによって後続のティッシュペーパーも引き上げるための力等が引き出す際の反力（抵抗力）としてかかる。したがって、ティッシュペーパーの収納体からの引き出し方としては、取出口に対して直角方向（垂直方向を含む）に引き出す場合が一番抵抗が少なく、それに対して取出口の形成された面方向（水平方向を含む）に引き出した場合には一番抵抗がかかると考えられる。特に、水平方向に引き出す場合に、ティッシュペーパーがスリットに引掛かりやすく、スリットを幅方向に広げようとする力がかかると共に、収納箱自体を水平方向に引きづってしまいがちになるため、ティッシュペーパーを引き出しにくくなる。
【００１２】
すなわち、従来の直方体形状のティッシュペーパー収納体は、上面部にティッシュペーパーの取出口が形成されているので、垂直方向には引き出しやすくなっているが、例えば、病室や寝室などのベッド上等で（身体が）横たわっている状態で、ティッシュペーパーを引き出そうとすると、水平方向に引き出すかたちとなるため、ティッシュペーパーを引き出し難いというという問題点がある。
【００１３】
それに対して本発明に係る衛生薄葉紙用収納体は、図１に示すように、取出口１Ａを斜面部１に形成しているため、水平方向に引張ってもスリット（フィルムレスタイプであれば、取出口の縁部分）に引掛かり難く、ティッシュペーパー１０ａを引き出しやすくなっている。当然のことながら、取出口１Ａを斜面部１に形成しているため、垂直方向にも引き出しやすい。
【００１４】
ティッシュペーパー１０ａは、通常は２枚重ねであり、その単位ティッシュペーパーを取り出し終了時点で後続のティッシュペーパーがスリットから出るように、インターホルダーにより折り重ねられており、収納体にはティッシュペーパー１０ａが束の状態で収納されている。ティッシュペーパー束１０は、両側面部のいずれかから挿入することができる。
【００１５】
収納の仕方としては、ティッシュペーパー束１０を斜面部１に平行になるように収納してもよいし、断面弓形状に湾曲させた状態で収納してもよい。なお、湾曲させた状態には、取出口１Ａに向けて幅方向中央部分を突出するように断面弓形状に湾曲させる場合と、取出口１Ａに対して幅方向中央部分を遠ざけるように断面弓形状に湾曲させる場合とがあるが、図２に示すように、前者の取出口１Ａに向けて幅方向中央部分を突出するように断面弓形状に湾曲させた状態で収納すると、積層枚数が少なくなったとしても、束１０の落ち込みがなく、取出口１Ａにティッシュペーパー束１０を近接させた状態にすることができるため、枚数が少なくなっても引き出しやすい。
【００１６】
本発明に係る衛生薄葉紙用収納体は略三角柱状の形状であるが、斜面部１と底面部３とで形成される∠Ａと、斜面部１と背面部２とで形成される∠Ｂと、はそれぞれ任意の角度であってよいが、∠Ａと∠Ｂを等角度とすることが好ましく、角度としては４０〜６０°が好適である。等角度で、かつ４０〜６０°にすることによって、∠Ｃの部分を基点として収納体を回転させ（ひっくり返す）やすくなり、例えば、背面部２側に身体があったとしても∠Ｃの部分を基点として収納体を回転させる（ひっくり返す）ことにより、取出口１Ａを手前にもってくることができ、使い勝手がよい。なお、∠Ｃを９０°とすることにより、本発明に係る衛生薄葉紙用収納体を縦置きにした場合、部屋の四隅やコーナー部分に納めることができ、コーナー部分の有効活用もできる。また、∠Ａ、∠Ｂ、∠Ｃにおけるコーナー部分を面取り形状としてもよい。
【００１７】
図３は、収納体が１枚のシートを組み立てることにより形成される場合の、展開図の第１の実施形態を示している。なお、図４には組み立てた状態の斜視図を図示している。
収納体における、斜面部１、背面部２、底面部３は、図３に示すように、連続して取付けられている。また、斜面部１には、箱体の組み立ての際に、底面部３の裏面の端部と接着するための接着しろ５が取付けられている。なお、図３の一点鎖線で示す部分は、折れ線を示しており、当該一点鎖線を山折りにして、収納体を組み立てていくものである。
【００１８】
斜面部１には、破断線（ミシン目）で取出口１Ａが形成されており、使用時に破断線を切ることで、ティッシュペーパー１０ａを取り出せるようになっている。
【００１９】
また、斜面部１、背面部２、底面部３のそれぞれの両短辺側からは、斜面フラップ１ａ，１ａ、背面フラップ２ａ，２ａ、端面接着しろ３ａ，３ａが、延在している。
【００２０】
側面部４，４の組み立てについては、斜面部１、背面部２、底面部３を折って、接着しろ５を底面部３の裏面の端部に固定した状態で、まず、斜面フラップ１ａ，１ａ、背面フラップ２ａ，２ａ、端面接着しろ３ａ，３ａを収納体の内部に向けて折り込む。そして、端面接着しろ３ａ，３ａの上に斜面フラップ１ａ，１ａを重ねた状態でそれぞれを接着する。最後に斜面フラップ１ａ，１ａの上に背面フラップ２ａ，２ａを重ねた状態でそれぞれを接着すればよい。  
【００２１】
側面部４，４に形成された破断線（ミシン目）７は、使用後に収納体の解体を容易にするためのものであり、この部分を破断して、内部に指を突っ込み、接着されている底面部３と斜面部１とを剥がしやすくするものである。この破断線７は、斜面フラップ１ａ，１ａ、背面フラップ２ａ，２ａ、端面接着しろ３ａ，３ａのそれぞれの対応位置に形成されている。
【００２２】
図５は、収納体が１枚のシートを組み立てることにより形成される場合の、展開図の第２の実施形態を示している。なお、図６には組み立てた状態の斜視図を図示している。
第２の実施形態は、第１の実施形態とは、側面部４，４の構成が異なっている。すなわち、斜面部１、背面部２、底面部３のそれぞれの両短辺側からは、端面接着しろ１ｂ，１ｂ、背面フラップ２ｂ，２ｂ、端面接着しろ３ｂ，３ｂが、延在している。そして、側面部４，４は、端面接着しろ１ｂ，１ｂと端面接着しろ３ｂ，３ｂとの両接着しろ上に背面フラップ２ｂ，２ｂを重ねた状態で接着することで形成される。なお、使用後に収納体の解体を容易にするための破断線８は、端面接着しろ１ｂ，１ｂ、背面フラップ２ｂ，２ｂ、端面接着しろ３ｂ，３ｂのそれぞれの対応位置に形成されている。背面フラップ２ｂ，２ｂの破断線８には、Ｔ字型のように中央を分離する直線の破断線が形成されているが、これは、剥がされる底面部３と斜面部１とに延在したそれぞれの端面接着しろに形成されている破断線８に対応させるためである。
【００２３】
なお、側面部４，４の組み立ては、第１の実施形態と第２の実施形態と示したような上記方法に限定されず、様々な方法で組み立てることができる。
【図面の簡単な説明】
【００２４】
【図１】本発明に係る衛生薄葉紙用収納体の斜視図である。
【図２】ティッシュペーパー束の収納状態の一例を示す概要図である。
【図３】第１の実施形態の展開図である。
【図４】その組み立てた状態の斜視図である。
【図５】第２の実施形態の展開図である。
【図６】その組み立てた状態の斜視図である。
【符号の説明】
【００２５】
１…斜面部、１Ａ…取出口、１ａ…斜面フラップ、１ｂ…端面接着しろ、２…背面部、２ａ…背面フラップ、２ｂ…背面フラップ、３…底面部、３ａ…端面接着しろ、３ｂ…端面接着しろ、４…側面部、５…接着しろ、６…フィルムシート、６Ａ…スリット、７，８…破断線（ミシン目）、１０…ティッシュペーパー束、１０ａ…ティッシュペーパー。
【図１】
2007276807.tif 000003
【図２】
2007276807.tif 000004
【図３】
2007276807.tif 000005
【図４】
2007276807.tif 000006
【図５】
2007276807.tif 000007
【図６】
2007276807.tif 000008